(57)【特許請求の範囲】
【請求項１】
四隅の柱の上下端を天井梁および床梁で連結して箱状に形成されたフレームを有する建物ユニットを上下に積層した上側建物ユニットおよび下側建物ユニットを備えるユニット式建物であって、
前記下側建物ユニットは、前記建物ユニットが所定間隔おいて配置されることにより形成された少なくとも一対の下側の離隔建物ユニットを有し、
前記上側建物ユニットは、前記下側の離隔建物ユニットに積層された少なくとも一対の上側の離隔建物ユニットを有し、
前記一対の下側の離隔建物ユニットの柱の上端位置同士、および前記一対の上側の離隔建物ユニットの柱の下端位置同士のうち、少なくとも一方を連結する一対の連結梁を備え、
前記連結梁は、長尺状の梁本体と、この梁本体の両端側に設けられて前記下側の離隔建物ユニットの柱の上端面、および前記上側の離隔建物ユニットの柱の下端面のうち少なくとも一方に接続される接続プレートとを備え、
前記梁本体は、その梁背が前記下側の離隔建物ユニットの天井梁および前記上側の離隔建物ユニットの床梁に跨って設けられ、
前記一対の連結梁の間には、小梁が架け渡されていることを特徴とするユニット式建物。
【請求項２】
請求項１に記載のユニット式建物において、
前記連結梁は、前記梁本体に設けられ前記接続プレートを支持するとともに前記離隔建物ユニットの柱の側面に接続されるエンドプレートを備えていることを特徴とするユニット式建物。
【請求項３】
請求項１または２に記載のユニット式建物において、
前記連結梁の梁本体は、その両端部が前記離隔建物ユニットとこの離隔建物ユニットに隣接する建物ユニットとの間に配置されていることを特徴とするユニット式建物。
【請求項４】
請求項１または２に記載のユニット式建物において、
前記連結梁の梁本体は、平面視で前記天井梁および前記床梁の延長線上に配置されていることを特徴とするユニット式建物。
【請求項５】
請求項１から４のいずれかに記載のユニット式建物において、
前記連結梁の梁本体は、その側面に前記小梁を支持するための仕口を備えていることを特徴とするユニット式建物。
【請求項６】
請求項１から５のいずれかに記載のユニット式建物において、
前記接続プレートは、前記梁本体に設けられたスリットにプレートが嵌挿されて形成されていることを特徴とするユニット式建物。
【発明の詳細な説明】
【０００１】
【発明の属する技術分野】
本発明は、所定間隔おいて配置された箱状の建物ユニット同士を連結する連結梁を備えたユニット式建物に関する。
【０００２】
【背景技術】
従来より、工場で製造した箱状の建物ユニットを、建築現場で複数連結させて建築されるユニット式建物が利用されている。
このユニット式建物を形成する建物ユニットとしては、四隅の柱の上下端を天井梁および床梁で連結した箱状のフレームを有するものが一般的である。フレームには、天井梁に支持される天井面材、床梁に支持される床面材および部屋を仕切る間仕切壁等の内装材や、軽量気泡コンクリート等で形成された外壁等の外装材が工場で組付けられる。
このようなユニット式建物によれば、工場において箱状のフレームに内装材や外装材の取り付け作業まで行って建物ユニットを製造した後、その建物ユニットを現場に運搬して連結作業を行うだけで建物が完成するから、建築現場での作業が大幅に削減され、工事を短期間で完了できるというメリットが得られる。
【０００３】
ところで、このようなユニット式建物は、複数の建物ユニットを組み合わせて形成されるため、建物ユニットの幅寸法または長さ寸法毎の増減を行うことによって建物の大きさを設定していた。したがって、敷地形状に対応して建物の大きさを設定することができず、敷地の有効活用を図ることが困難になる場合があった。
また、ユニット式建物の内部空間を全て建物ユニットで形成するため、設計上必要な構造耐力以上の構造耐力を有することとなり、結果的にコスト高となっていた。
【０００４】
以上の問題を解決するため、ユニット式建物を複数の建物部分に分割し、これら建物部分をエキスパンションジョイントを介して連結する方法が知られている（特開平９−６７８６８号公報）。ここで、エキスパンションジョイントは、建物部分の壁面同士を連結するとともに、各建物部分の相対変位に対して追随可能な梁となっている。
この特開平９−６７８６８号公報によれば、建物部分同士の間隔に対応させてエキスパンションジョイントの長さ寸法を設定するだけで、多様な平面形状のユニット式建物を建築できるから、種々の敷地形状に応じて建物を建築でき、敷地の有効活用を実現できる。また、エキスパンションジョイント直下の空間を居住空間として利用できるため、ユニット式建物を構成する建物ユニットの数量を減らすことができ、ユニット式建物の製造コストを低減できる。
【０００５】
【発明が解決しようとする課題】
しかしながら、上述した方法では、エキスパンションジョイントを壁面に連結するため、エキスパンションジョイントにかかる荷重を各建物部分の構造体に円滑に伝達することが困難となっていた。よって、エキスパンションジョイントと各建物部分との接続部分を補強する必要があるうえに、エキスパンション部分を自在に可動させるための納まりが複雑となるため、施工手間がかかっていた。
【０００６】
本発明の目的は、容易に施工できる連結梁を備えたユニット式建物を提供することにある。
【０００７】
【課題を解決するための手段】
上記目的を達成するため、本発明のユニット式建物は、次の構成を採用する。
本発明を図面を参照して説明すると、請求項１に記載のユニット式建物１０は、四隅の柱４１の上下端を天井梁４２および床梁４３で連結して箱状に形成されたフレーム４０を有する建物ユニット２０を上下に積層した上側建物ユニット１５および下側建物ユニット１４を備えるユニット式建物であって、前記下側建物ユニットは、前記建物ユニットが所定間隔おいて配置されることにより形成された少なくとも一対の下側の離隔建物ユニット２１を有し、前記上側建物ユニットは、前記下側の離隔建物ユニットに積層された少なくとも一対の上側の離隔建物ユニットを有し、
前記一対の下側の離隔建物ユニットの柱の上端位置同士、および前記一対の上側の離隔建物ユニットの柱の下端位置同士のうち、少なくとも一方を連結する一対の連結梁７０，８０を備え、前記連結梁は、長尺状の梁本体７１と、この梁本体の両端側に設けられて前記下側の離隔建物ユニットの柱の上端面、および前記上側の離隔建物ユニットの柱の下端面のうち少なくとも一方に接続される接続プレート７２とを備え、前記梁本体は、その梁背が前記下側の離隔建物ユニットの天井梁および前記上側の離隔建物ユニットの床梁に跨って設けられ、前記一対の連結梁の間には、小梁９０が架け渡されていることを特徴とする。
【０００８】
この発明によれば、連結梁直下の空間を居住空間として利用できるため、ユニット式建物を構成する建物ユニットの数量を減らすことができるから、ユニット式建物の製造コストを低減できる。また、離隔建物ユニット同士の間隔に対応させて連結梁の梁本体の長さ寸法を設定するだけで、多様な平面形状のユニット式建物を建築できるから、種々の敷地形状に応じて建物を建築できる。
さらに、柱の上端面および下端面のうち少なくとも一方に接続プレートを接続したので、例えば、中間階では、上階の離隔建物ユニットの柱の下端面と下階の離隔建物ユニットの柱の上端面との間に接続プレートが挟み込まれるから、連結梁に作用する荷重を梁本体および接続プレートを介して、離隔建物ユニットの構造体に確実に伝達でき、連結梁と離隔建物ユニットとの接続部分を何ら補強する必要がないうえに、連結梁と離隔建物ユニットとの接続部分にエキスパンションジョイントのような複雑な納まりが必要がないため、容易に施工できる。
また、連結梁の梁本体の梁背を下側建物ユニットの天井梁および上側建物ユニットの床梁に跨って設けたので、梁本体の垂直荷重に対する剛性を向上できる。
【０００９】
請求項２に記載のユニット式建物は、請求項１に記載のユニット式建物において、前記連結梁は、前記梁本体に設けられ前記接続プレートを支持するとともに前記離隔建物ユニットの柱の側面に接続されるエンドプレート７３を備えていることを特徴とする。
この発明によれば、エンドプレートを介して接続プレートが梁本体に支持されるから、接続プレートの変形を抑制して、梁本体の垂直荷重に対する剛性をさらに向上できる。
また、エンドプレートを離隔建物ユニットの柱の側面に接続したので、連結梁を離隔建物ユニットに強固に接続できる。
【００１０】
請求項３に記載のユニット式建物は、請求項１または２に記載のユニット式建物において、前記連結梁の梁本体は、その両端部が前記離隔建物ユニットとこの離隔建物ユニットに隣接する建物ユニットとの間に配置されていることを特徴とする。
この発明によれば、連結梁の梁本体の両端部を離隔建物ユニットとこの離隔建物ユニットに隣接する建物ユニットとの間に配置したので、連結梁に垂直荷重または水平荷重が作用して変形しようとしても、離隔建物ユニットまたは建物ユニットの側面に押圧されることによりその変形が抑制されるから、ユニット式建物の構造耐力を向上できる。
【００１１】
請求項４に記載のユニット式建物は、請求項１または２に記載のユニット式建物において、前記連結梁の梁本体は、平面視で前記天井梁および前記床梁の延長線上に配置されていることを特徴とする。
この発明によれば、連結梁の梁本体を平面視で天井梁および床梁の延長線上に配置したので、ユニット式建物の外周に沿って連結梁を設けても、連結梁がユニット式建物の外周側に突出しないから、外装材を容易に取り付けることができる。
【００１３】
請求項５に記載のユニット式建物は、請求項１から４のいずれかに記載のユニット式建物において、前記連結梁の梁本体は、その側面に前記小梁９０を支持するための仕口７４を備えていることを特徴とする。
この発明によれば、連結梁の梁本体の側面に仕口を設けたので、この仕口に小梁を取り付け、この小梁に内装材を支持させることによって、内装工事を容易に行うことができる。
【００１４】
請求項６に記載のユニット式建物は、請求項１から５のいずれかに記載のユニット式建物において、前記接続プレートは、前記梁本体に設けられたスリットにプレート６０が嵌挿されて形成されていることを特徴とする。
この発明によれば、連結梁の梁本体に設けられたスリットにプレートを嵌挿して接続プレートを形成したので、梁本体にプレートを溶接する場合に比べ、接合部分の信頼性が高く施工手間もかからないから、接続プレートを確実かつ容易に形成できる。
【００１５】
【発明の実施の形態】
以下、本発明の実施形態を図面に基づいて説明する。
図１には、本実施形態に係るユニット式建物１０の全体斜視図が示されている。このユニット式建物１０は、基礎１１と、この基礎１１の上に形成される建物本体１２と、この建物本体１２の上に形成される屋根１３とを備えている。
このうち、建物本体１２は、下側建物ユニットとしての１階建物ユニット１４と、この１階建物ユニット１４の上に積層された上側建物ユニットとしての２階建物ユニット１５とを備えている。
【００１６】
１階建物ユニット１４および２階建物ユニット１５は、複数の建物ユニット２０を含んで構成されている。
建物ユニット２０は、図２に示すように、四隅の柱４１の上下端を連結する天井梁４２および床梁４３を有する箱状のフレーム４０を備えている。このうち、柱４１と天井梁４２とは、柱４１の柱頭側に配置される柱頭接合部材４５を介して連結され、柱４１と床梁４３とは、柱４１の柱脚側に配置される柱脚接合部材４６を介して連結されている。
天井梁４２としては、長さの異なる短辺天井梁４２Ａおよび長辺天井梁４２Ｂの二種類が設けられ、床梁４３としては、長さの異なる短辺床梁４３Ａおよび長辺床梁４３Ｂの二種類が設けられている。また、対向する長辺天井梁４２Ｂの間には、天井面材を支持するための天井小梁４２Ｃが架け渡され、また、対向する長辺床梁４３Ｂの間には、床を形成するパーチクルボード等の床面材を支持するための複数の根太４３Ｃが架け渡されている。
【００１７】
図３には、１階建物ユニット１４の概略平面図が示されている。
１階建物ユニット１４は、短辺方向に所定間隔おいて平行に配置した１対の建物ユニット２０をその長辺方向に３組連結して形成した離隔建物ユニット２１と、これら離隔建物ユニット２１同士の間に形成された空間２２を挟んで離隔建物ユニットの相対向する柱４１同士を連結する連結梁７０，８０とを備えている。ここで、連結梁７０は、ユニット式建物１０の内部に設けられ、連結梁８０は、ユニット式建物１０の外周に設けられている。また、これら連結梁７０，８０同士の間には、小梁９０が架け渡されている。
２階建物ユニット１５は、１階建物ユニット１４と同様に構成されている。
【００１８】
図４には、離隔建物ユニット２１同士の連結部分Ａ(図３参照)の分解斜視図が示されている。
離隔建物ユニット２１同士の連結には、平板状のプレートとしてのシアプレート６０が用いられる。シアプレート６０が、１階建物ユニット１４の隣接する複数の柱頭接合部材４５と、これらの柱頭接合部材４５の上に配置される２階建物ユニット１５の柱脚接合部材４６との間に介装されることにより、上下方向および水平方向に隣接する離隔建物ユニット２１同士が連結される。
【００１９】
具体的には、各離隔建物ユニット２１の柱頭接合部材４５の上面には、位置決めピン４５Ａと、挿通孔４５Ｂとが設けられ、柱脚接合部材４６の下面には、図示しない位置決め孔と、挿通孔４６Ｂとが設けられている。また、シアプレート６０には、位置決め孔６０Ａと挿通孔６０Ｂとが設けられている。
１階建物ユニット１４の柱頭接合部材４５の位置決めピン４５Ａが、シアプレート６０の位置決め孔６０Ａに挿通されて、２階建物ユニット１５の柱脚接合部材４６の位置決め孔に嵌合されることにより、離隔建物ユニット２１同士の位置が決定される。そして、１階建物ユニット１４の柱頭接合部材４５の挿通孔４５Ｂ、シアプレート６０の挿通孔６０Ｂおよび２階建物ユニット１５の柱脚接合部材４６の挿通孔４６Ｂにボルト８１Ａが挿通され、このボルト８１Ａにナット８１Ｂが螺合されて緊締されることにより、離隔建物ユニット２１同士が連結される。
【００２０】
図５には、連結梁７０の全体斜視図が示されている。
連結梁７０は、断面縦長の長方形であって、継目なく一体成形された長尺状の梁本体７１と、この梁本体７１の両端側で高さ方向中間に略水平に設けられた平板状の接続プレート７２と、梁本体７１に略垂直に設けられ接続プレート７２を支持するエンドプレート７３とを備えている。
接続プレート７２は、梁本体７１にスリットが設けられ、このスリットにシアプレート６０が嵌挿されることにより形成されており、複数の位置決め孔６０Ａおよび挿通孔６０Ｂが設けられている。
エンドプレート７３には、接続プレート７２を挟んで上下に挿通孔７３Ｃが設けられている。
【００２１】
また、連結梁７０は、梁本体７１の側面に小梁９０を支持するための仕口７４を備えている。この仕口７４は、梁本体７１の高さ方向に延びる断面Ｌ字形のアングル材を梁本体７１に溶接することによって形成されている。
【００２２】
図６および図７には、連結梁７０と離隔建物ユニット２１との連結部分Ｂ(図３参照)の分解斜視図および断面図が示されている。
連結梁７０の接続プレート７２は、シアプレート６０と同様に、１階建物ユニット１４の隣接する複数の柱頭接合部材４５の上端面と、これらの柱頭接合部材４５の上に配置される２階建物ユニット１５の隣接する複数の柱脚接合部材４６の下端面との間に介装されることにより接続される。
具体的には、１階建物ユニット１４の柱頭接合部材４５の位置決めピン４５Ａが、接続プレート７２の位置決め孔６０Ａに挿通されて、２階建物ユニット１５の柱脚接合部材４６の位置決め孔に嵌合される。また、１階建物ユニット１４の柱頭接合部材４５の挿通孔４５Ｂ、接続プレート７２の挿通孔６０Ｂおよび２階建物ユニット１５の柱脚接合部材４６の挿通孔４６Ｂにボルト８１Ａが挿通されてナット８１Ｂで緊締される。
【００２３】
また、連結梁７０のエンドプレート７３は、１階建物ユニット１４の隣接する複数の柱頭接合部材４５および２階建物ユニット１５の隣接する複数の柱脚接合部材４６の側面に接続される。
具体的には、１階建物ユニット１４の柱頭接合部材４５の挿通孔４５Ｃおよびエンドプレート７３の挿通孔７３Ｃ、２階建物ユニット１５の柱脚接合部材４６の挿通孔４６Ｃおよびエンドプレート７３の挿通孔７３Ｃにボルト８１Ａが挿通されてナット８１Ｂで緊締される。
【００２４】
連結梁７０の梁本体７１は、その両端部が互いに隣接する離隔建物ユニット２１同士の間に配置され、梁本体７１の梁幅Ｗは、これら離隔建物ユニット２１同士の間の隙間より僅かに狭くなっている。また、梁本体７１の梁背Ｈは、１階建物ユニット１４の天井梁４２および２階建物ユニット１５の床梁４３に跨るように設けられている。
【００２５】
図８には、連結梁８０の全体斜視図が示されている。
連結梁８０は、連結梁７０と異なり、エンドプレート７３は、梁本体７１の両端面にその高さ方向に延びる断面Ｌ字形のアングル材を溶接することにより形成され、接続プレート７２は、エンドプレート７３の高さ方向中間にシアプレート６０の半分の大きさのプレートを溶接することにより形成されている。
【００２６】
図９には、連結梁８０と離隔建物ユニット２１との連結部分Ｃ(図３参照)の断面図が示されている。
連結梁８０の接続プレート７２は、連結梁７０と同様に、１階建物ユニット１４の隣接する複数の柱頭接合部材４５の上端面と、これらの柱頭接合部材４５の上に配置される２階建物ユニット１５の隣接する複数の柱脚接合部材４６の下端面との間に介装されることにより接続される。同時に、連結梁８０のエンドプレート７３は、１階建物ユニット１４の隣接する複数の柱頭接合部材４５および２階建物ユニット１５の隣接する複数の柱脚接合部材４６の側面に接続される。
その結果、連結梁８０の梁本体７１は、平面視で天井梁４２および床梁４３の延長線上に配置される。
【００２７】
また、梁本体７１の梁背Ｈは、連結梁７０と同様に、１階建物ユニット１４の天井梁４２および２階建物ユニット１５の床梁４３に跨るように設けられている。
【００２８】
次に、ユニット式建物１０の組立手順を説明する。
まず、建物ユニット２０および連結梁７０，８０を工場で製作した後、建築現場に運搬する。現場では、図１０に示すように、１対の建物ユニット２０をその短辺方向に所定間隔おいて配置し、この１対の建物ユニット２０をその長辺方向に３組連結して離隔建物ユニット２１として、１階建物ユニット１４を形成する。
次に、隣接する離隔建物ユニット２１同士をシアプレート６０で連結し、所定間隔おいて相対向する離隔建物ユニット同士を連結梁７０，８０で連結して、これら連結梁７０，８０同士の間に小梁９０を架け渡す。
【００２９】
続いて、シアプレート６０および連結梁７０，８０の接続プレート７２を挟み込みながら、建物ユニット２０を各離隔建物ユニット２１上に積層して２階建物ユニット１５を形成し、連結梁７０，８０、１階建物ユニット１４および２階建物ユニット１５をボルト８１Ａおよびナット８１Ｂで連結する。
次に、２階建物ユニット１５についても、１階建物ユニット１４と同様に、連結梁７０，８０および小梁９０を架け渡し、この２階建物ユニット１５の上に屋根１３を取り付ける。
【００３０】
したがって、本実施形態によれば以下の効果がある。
(１)連結梁７０，８０直下の空間２２を居住空間として利用できるため、ユニット式建物１０を構成する建物ユニット２０の数量を減らすことができるから、ユニット式建物１０の製造コストを低減できる。また、離隔建物ユニット２１同士の間隔に対応させて連結梁７０，８０の梁本体７１の長さ寸法を設定するだけで、多様な平面形状のユニット式建物を建築できるから、種々の敷地形状に応じて建物を建築できる。
【００３１】
(２)柱４１の上端面および下端面に接続プレート７２を接続したので、２階では、屋根１３の下面と１階建物ユニット１４の柱４１の上端面との間に接続プレート７２が挟み込まれ、１階では、２階建物ユニット１５の柱４１の下端面と１階建物ユニット１４の柱４１の上端面との間に接続プレート７２が挟み込まれるから、連結梁７０，８０に作用する荷重を梁本体７１および接続プレート７２を介して、離隔建物ユニット２１のフレーム４０に確実に伝達できるから、連結梁７０，８０と離隔建物ユニット２１との接続部分を何ら補強する必要がないうえに、連結梁７０，８０と離隔建物ユニット２１との接続部分にエキスパンションジョイントのような複雑な納まりが必要がないため、容易に施工できる。
【００３２】
(３)エンドプレート７３を介して接続プレート７２が梁本体７１に支持されるから、接続プレート７２の変形を抑制して、梁本体７１の垂直荷重に対する剛性をさらに向上できる。
また、エンドプレート７３を離隔建物ユニット２１の柱頭接合部材４５および柱脚接合部材４６の側面に接続したので、連結梁７０，８０を離隔建物ユニット２１にさらに強固に接続できる。
【００３３】
(４)連結梁７０の梁本体７１の両端部を離隔建物ユニット２１同士の間に配置したので、連結梁７０に垂直荷重または水平荷重が作用して変形しようとしても、離隔建物ユニット２１の側面に押圧されることによりその変形が抑制されるから、ユニット式建物１０の構造耐力を向上できる。
【００３４】
(５)連結梁８０の梁本体７１を平面視で天井梁４２および床梁４３の延長線上に配置したので、ユニット式建物１０の外周に沿って連結梁８０を設けても、連結梁８０がユニット式建物１０の外周側に突出しないから、外装材を容易に取り付けることができる。
【００３５】
(６)連結梁７０，８０の梁本体７１の梁背Ｈを１階建物ユニット１４の天井梁４２および２階建物ユニット１５の床梁４３に跨って設けたので、梁本体７１の垂直荷重に対する剛性を向上できる。
【００３６】
(７)連結梁７０，８０の梁本体７１の側面に仕口７４を設けたので、この仕口７４に小梁９０を取り付け、この小梁９０に内装材を支持させることによって、内装工事を容易に行うことができる。
【００３７】
(８)連結梁７０の梁本体７１に設けられたスリットにシアプレート６０を嵌挿して接続プレート７２を形成したので、梁本体にプレートを溶接する場合に比べ、接合部分の信頼性が高く施工手間もかからないから、接続プレート７２を確実かつ容易に形成できる。
【００３８】
なお、本発明は前記実施形態に限定されるものではなく、本発明の目的を達成できる範囲での変形、改良等は本発明に含まれるものである。
例えば、本実施形態では、建物ユニット２０を短辺方向に所定間隔おいて平行に配置して離隔建物ユニット２１を形成したが、これに限らず、図１１に示すように、建物ユニット２０同士を平面視で傾斜して配置してもよい。すなわち、離隔建物ユニット２１同士の間に形成された空間２２は平面台形状となり、この空間２２を挟んで離隔建物ユニットの相対向する柱４１同士を連結する連結梁７０および連結梁８０の梁本体７１の長さはそれぞれ異なっている。
このようにしても、前記実施形態で述べた(１)〜(８)と同様の効果がある。
【００３９】
【発明の効果】
本発明のユニット式建物によれば、次のような効果が得られる。
請求項１に記載のユニット式建物によれば、連結梁直下の空間を居住空間として利用できるため、ユニット式建物を構成する建物ユニットの数量を減らすことができるから、ユニット式建物の製造コストを低減できる。また、離隔建物ユニット同士の間隔に対応させて連結梁の梁本体の長さ寸法を設定するだけで、多様な平面形状のユニット式建物を建築できるから、種々の敷地形状に応じて建物を建築できる。さらに、柱の上端面および下端面のうち少なくとも一方に接続プレートを接続したので、連結梁に作用する荷重を梁本体および接続プレートを介して、離隔建物ユニットの構造体に確実に伝達でき、連結梁と離隔建物ユニットとの接続部分を何ら補強する必要がないうえに、連結梁と離隔建物ユニットとの接続部分にエキスパンションジョイントのような複雑な納まりが必要がないため、容易に施工できる。また、連結梁の梁本体の梁背を下側建物ユニットの天井梁および上側建物ユニットの床梁に跨って設けたので、梁本体の垂直荷重に対する剛性を向上できる。
【００４０】
請求項２に記載のユニット式建物によれば、エンドプレートを介して接続プレートが梁本体に支持されるから、接続プレートの変形を抑制して、梁本体の垂直荷重に対する剛性をさらに向上できる。また、エンドプレートを離隔建物ユニットの柱の側面に接続したので、連結梁を離隔建物ユニットに強固に接続できる。
【００４１】
請求項３に記載のユニット式建物によれば、連結梁の梁本体の両端部を離隔建物ユニットとこの離隔建物ユニットに隣接する建物ユニットとの間に配置したので、連結梁に垂直荷重または水平荷重が作用して変形しようとしても、離隔建物ユニットまたは建物ユニットの側面に押圧されることによりその変形が抑制されるから、ユニット式建物の構造耐力を向上できる。
【００４２】
請求項４に記載のユニット式建物によれば、連結梁の梁本体を平面視で天井梁および床梁の延長線上に配置したので、ユニット式建物の外周に沿って連結梁を設けても、連結梁がユニット式建物の外周側に突出しないから、外装材を容易に取り付けることができる。
【００４４】
請求項５に記載のユニット式建物によれば、連結梁の梁本体の側面に仕口を設けたので、この仕口に小梁を取り付け、この小梁に内装材を支持させることによって、内装工事を容易に行うことができる。
【００４５】
請求項６に記載のユニット式建物によれば、連結梁の梁本体に設けられたスリットにプレートを嵌挿して接続プレートを形成したので、梁本体にプレートを溶接する場合に比べ、接合部分の信頼性が高く施工手間もかからないから、接続プレートを確実かつ容易に形成できる。
【図面の簡単な説明】
【図１】本発明の一実施形態に係るユニット式建物を示す全体斜視図である。
【図２】前記実施形態に係る建物ユニットのフレームの斜視図である。
【図３】前記実施形態に係るユニット式建物の概略平面図である。
【図４】前記実施形態に係る離隔建物ユニット同士の連結部分の分解斜視図である。
【図５】前記実施形態に係るユニット式建物の内部に設けられた連結梁の全体斜視図である。
【図６】前記実施形態に係るユニット式建物の内部に設けられた連結梁と離隔建物ユニットとの連結部分の分解斜視図である。
【図７】前記実施形態に係るユニット式建物の内部に設けられた連結梁と離隔建物ユニットとの連結部分の図３中VII-VII線断面図である。
【図８】前記実施形態に係るユニット式建物の外周に設けられた連結梁の全体斜視図である。
【図９】前記実施形態に係るユニット式建物の外周に設けられた連結梁と離隔建物ユニットとの連結部分の図３中IX-IX線断面図である。
【図１０】前記実施形態に係るユニット式建物を組み立てる方法を説明するための分解斜視図である。
【図１１】本発明の変形例に係るユニット式建物を示す概略平面図である。
【符号の説明】
１０      ユニット式建物
１４      下側建物ユニットとしての１階建物ユニット
１５      上側建物ユニットとしての２階建物ユニット
２０      建物ユニット
２１      離隔建物ユニット
２２      空間
４０      フレーム
４１      柱
４２      天井梁
４３      床梁
６０      プレートとしてのシアプレート
７０，８０      連結梁
７１      梁本体
７２      接続プレート
７３      エンドプレート
７４      仕口
９０      小梁
【図１】
0003893061.tif 000002
【図２】
0003893061.tif 000003
【図３】
0003893061.tif 000004
【図４】
0003893061.tif 000005
【図５】
0003893061.tif 000006
【図６】
0003893061.tif 000007
【図７】
0003893061.tif 000008
【図８】
0003893061.tif 000009
【図９】
0003893061.tif 000010
【図１０】
0003893061.tif 000011
【図１１】
0003893061.tif 000012